(57)【要約】 【課題】畳床に畳表を縁無しで固着する時、裏面に曲げ込まれた畳表の四隅部分が重なり合って、その部分のみ厚くなってしまう。裏面に曲げ込まれた畳表の四隅部分が重なり合わず、畳の裏面の外観も美麗で堅牢な縁無し畳を作る【解決手段】畳床に畳表をかぶせ外周縁部を畳床の裏面に曲げ込んだ際生ずる、四隅４の重なり部分の縦糸方向の畳表の５の位置に切り込みを入れ、重なる部分に該当するイ草のみ取り除き、縦糸６を残す。残された縦糸６を畳床１に固着し、イ草方向の畳表外周縁部分１２を曲げ込み縦糸６が固着されている部分を含め畳床外周縁部に固着する。これにより裏面四隅部も他の外周縁部と同一の厚さであり、美麗で堅牢になる縁無し畳が出来る【選択図】    図６
0003122505.tif 000002
【実用新案登録請求の範囲】
【請求項１】
畳床に畳表をかぶせ、畳表の外周縁部分を畳床の裏面まで巻き込んでなる縁無し畳であって畳床裏面に回りこませた畳表の縦糸方向外縁部の内、イ草方向外縁部と重なる範囲の縦糸のみ残してイ草を除去し、残された縦糸を畳床に固着しイ草方向外縁部を畳床に巻きつけて固着してなる縁無し畳。
【考案の詳細な説明】
【技術分野】
【０００１】
畳床へ縁なしで畳表を取り付けた畳
以下の説明でイ草と記しているものは植物のイ草だけでなく、プラスチック、和紙その他の素材を用いたものであっても、同様に実施可能であって、有効である。
【背景技術】
【０００２】
畳の主たる構成要素は畳床と畳表である。
畳表は縦糸と縦糸に直交して織ったイ草からなる。
畳表を構成している縦糸とイ草、あるいはこれに替わるプラスチック材等は普通の布と比較してしなやかさが少なく切断面付近で縦糸とイ草がほつれやすい。
畳を敷き詰めたとき、総て一様に平らであることが要求される。
畳を仕上げ、敷き詰めたとき畳表がたるみを生じ、あるいはしわが出来ることを嫌う。
【０００３】
住宅、宿泊施設、柔道場等で通常用いられている畳には、縁つき畳と縁なし畳の二種類がある。
縁つき畳は、畳床の幅に合わせて畳表の縦糸とイ草方向の畳床からはみ出したイ草部分を切り落とした上、畳床の外周縁の部分に畳縁を用いて畳表を縫い付ける。
これに対して、縁無し畳は畳床の外周より大きな畳表を畳床にかぶせ、畳床からはみ出した部分を畳床の側面および裏面に回し込ませ、回しこませたイ草の端の部分を畳床に固着させる。
縁なし畳の場合、畳表の縦糸方向から曲げ込んだ外縁部分と、イ草方向から曲げ込んだ外周縁部分が四隅において重なる。
【０００４】
近年、畳床の構成素材としてプラスチックやボードを用いるようになった。しかも従来の畳床よりも薄いものが好まれ、多く採用されるようになった。
従来は一度敷きこめば、通常そのまま使用されるのに対し、薄い畳は洋間に一時的に敷く置き畳として使用されたり、寝台等家具の一部に使用されるようになった。
この場合、畳を頻繁に敷いたり、持ち上げて別の場所に移動したりする。畳を持ち上げたときに裏面が見えるため、裏面も美麗堅牢であることが望まれる。
この場合、回り込ませた畳表のイ草部分の厚みだけ畳の厚さが厚くなるが、従来からある畳床は構成素材が藁であって、糸で縫って畳床に仕上げている。その際畳床の外周辺の針目を細かくして強く締め付けることにより、床の周辺部分をやや薄く仕上げてあることと、畳床の厚さは約５ｃｍあり、弾力もある故四隅部分に生ずる厚さの差は吸収できる。
従って、従来からある畳床を縁無し畳に仕上げても特に問題は無い。
縁つき畳の場合はイ草を畳の幅で裁断し、畳床の下面まで回りこませないので薄畳においても問題は無い。
縁なし畳の場合は、畳表の縦糸方向から曲げ込んだ部分と、イ草方向のイ草の先端部分とが四隅の部分で重なるため四隅部分が他の部分より厚くなる。畳床が薄く弾性が少ない場合、畳を敷き詰めたとき四隅の厚くなった部分のみ盛り上がり畳の上面が均一な平面に保たれない。  
畳表の構成は縦糸に対して直交方向にイ草を織って一枚の畳表とするが、縦糸とイ草共に張りがあり、普通の衣類の繊維のようにしなやかでないため縦糸と横糸が絡み合うことは無く、縦糸とイ草がバラバラとほぐれ易い特性がある。
【特許文献１】特開平１０−３３９０１７
【考案の開示】
【考案が解決しようとする課題】
【０００５】
縁付き畳の場合は畳床裏面に回りこむ畳表の外周縁部は縦糸方向の部分のみであるのに対し、縁無し畳は縦糸方向からとイ草方向から畳床裏面に回りこむ部分が重なるために、畳の四隅が厚くなる。これを防ぎ、畳を敷きこんだとき畳上面が均一な平面になる様にする。
藁を主構成材料とする従来の畳は厚さが約５ｃｍあり、弾力があることと、藁を縫って畳床に仕上げるとき、周辺部分の縫い目を細かくして、外周縁部分を内部と比較して、やや薄く仕上げてあることにより、四隅の厚さの増加を吸収でき、畳を敷きこんだとき四隅を含めて平面を保つことが出来る。
これに対し、藁を使わない畳床の場合は裏面が平面であるため縁無し畳の場合畳床の裏面に曲げこまれたイ草の分だけ厚くなってしまう。  
そこで、畳床の裏面に畳表とほぼ同一のシート状の部材を配置し、曲げ込んだ畳表の外周部が占める範囲のシート状部材を取り除きそこへ畳表の曲げこんだ部分を収めることにより、段差が生じないような工夫がされている。
ところが、畳の外周すべてに亘って畳表を回りこませるため、畳の四隅のところでは縦糸方向とイ草方向の両方向から畳表の外周部分が回り込んで重なり、この部分だけ畳表一枚分他の部分よりも厚くなってしまう。  そうすると、畳を敷きこんだとき畳の表面四隅だけが盛り上がり平面が保てない。
【０００６】
これを避けるために、縦糸方向とイ草方向から曲げこまれる畳表が重なる部分を互いに４５度の角度に斜めにカットして重ならないようにする案もある。
ただし、この方法を実行しようとすると、４５度に正しくカットするためには然るべきガイドの定規を必要とする。  
斜め４５度に切断した切り口がほつれないようにするために、接着剤等で固めようとするとき、切り口は縦糸とイ草は同一面になってしまうため、糊代が殆ど取れず、安定した固着が難しい。
また、切り口がほつれやすい構造になるため、作業中の一寸した不手際で切り口が
ほつれてしまう。など作業性が悪い。
畳の場合、仕上がった段階で畳表にたるみやしわが出来ることを非常に嫌う。そのためには縦糸方向と縦糸と直交方向共にしっかりと引っ張り力を与えて、たるみが出ないようにする必要があるが、従来の方法であると、角の部分の縦糸が短い故ほつれやすく引っ張り力を加えることが難しい為、側面より裏面に巻き込むイ草を優美、堅牢に固着するため細心の注意と力加減が必要とされる。
などの課題がある。
【課題を解決するための手段】
【０００７】
縁なし畳の畳表を畳床下面に巻き込んで固着する際、縦糸方向から曲げこんだ畳表とイ草方向からの曲げこんだ畳表の端が重なる。
縦糸方向から曲げこんだ畳表のイ草に対し、イ草方向から曲げこんだ畳表の外周縁部と重なる範囲分縦糸の方向に沿って切り込みを入れる。
切込みより外側の重なる部分のイ草を取り除く、このとき縦糸は残す。
この様にして、重なる部分のイ草は１層だけにすることが出来る。
残された縦糸を畳床に固着する。
固着した縦糸にかぶせてイ草方向のイ草の外縁部分を固着する。
【考案の効果】
【０００８】
本考案によれば、曲げこんだイ草が重なる部分をカットするとき、カットするイ草に対して直角に刃物を走らせるだけであるから、イ草に直角になっている縦糸を案内にするか、もしくは、カットしようとするイ草の方向と直角方向から曲げこんだ畳表の端面を案内とすることにより、特に道具を用いることなくふらついたり、横にずれたりすること無くカットすることができる。
イ草を取り除いた部分は十分長い縦糸が残っている故、イ草がほつれてくることは無い。また、この残った縦糸を引っ張ることにより、畳表の縦糸方向のたるみの発生を防ぎ、安定して畳表を畳床へ固着することができる。また、これと直交する方のイ草に張力を与えて、イ草方向のたるみやしわの発生を防ぎ強固、容易に畳表を畳床に固着出来る。
本考案によれば角の部分が安定して固着されるため、他の作業中に誤って角の部分をほつれさせてしまうことがない。
本考案によれば、畳の外周縁部を畳全周にわたって均一な厚さに出来る。
四隅の縦糸を残してあるので、畳表を四隅においても、強固に安定的に畳床に固着できる。
縦糸方向の固着とそれに直交する方向の畳表外周部とをそれぞれ独立に作業できる故、畳の品質を左右するたるみの発生を防ぐ作業、角の部分の作業を安定して確実に行うことが出来る。
縦糸に直交して織られているイ草の曲げこまれた外周縁部分は四隅を含めて端から端まで同一条件形態で裏面へ曲げこみ固着してあるので畳を持ち上げたとき裏面が
美麗で堅牢である。
本考案は畳の四隅の成す角度が直角のみならず鈍角或いは鋭角であっても有効である。
畳の形状が長方形のもの、正方形のもの、長さ或いは幅が短いもの、更に標準的な大きさより小さなもの、各辺が、直線でないものに対しても有効である。
また、ここの畳の仕上げ寸法は加工の際にそれぞれ自由に設定することが出来る故敷きこむ部屋の寸法に合致させることが出来る。
【考案を実施するための最良の形態】
【０００９】
縁なし畳において畳表の外延部分を畳床裏面へ巻き込んで縫着・固着するとき畳の四隅に巻き込む部分が二重に成らないように、重なる部分の縦糸方向のイ草のみを取り除き、残した縦糸を畳床に固着する。固着した縦糸に重ねてイ草方向の畳表の外周部分を曲げこみ固着する。縦糸の太さはイ草と比較し細いものであるから、縦糸の太さによるあつさの影響は無視できる。
完成した状態を図１に示す。
【実施例】
【００１０】
図１に本案を実施した例を示す。  図１は縁なし薄畳を裏面から見た図である。畳床１に畳表２をかぶせてある。畳床１に巻き込まれた畳表外周部分３の四隅部分４が重なり合うこと無く、外周他の部分３と同一厚みに仕上がっている。
以下作業手順に従って説明する。
図は縦糸方向の外周部分３を畳床に沿って巻き込んだ状態を示している。この段階で畳表の巻き込んだ部分３を畳床１に固着する。固着の方法は、縫着機、タッカー、縫い糸による縫込み、糊付け等いずれにて行っても良い。
図３はすでに巻き込み、畳床に固着した縦糸方向外周部の内でこれから巻き込まれるイ草方向の畳表と重なる箇所５に切り込みを入れ、切込みを入れた箇所５よりも外側６にあるイ草を取り除く、縦糸７は取り残す。取り残した縦糸７を畳床に固着する。固着の方法は接着剤にて接着するか、縦糸同士を縛り縛った部分をタッカーで留める、縫い糸による縫込む等いずれにて行っても良い。
続いて、畳床の厚さ方向８の箇所のイ草をイ草方向に畳床の角から１ｃｍほど残して切込みを入れ、図４の９の箇所にて、畳床側面へ曲げこむ、又は８の箇所のイ草を畳床に合わせて切りとる。
図３の８部分に入れた切込みより外側のイ草のみ取り去り、縦糸１０を残す。
図４に示すように残された縦糸１０を内側へ曲げ込み畳表に接着により固着する。或いは縦糸同士を縛る、縦糸を糸で縛る等いずれにて行っても良い。
畳床の厚み方向に対する畳表の処理に関しては、図５に示す様に、畳床の厚み方向側面１１に折り紙の要領で織り込む方法もある。図３、図４の方法図、５の方法のいずれにても本案は実施可能である。
図６はイ草方向の外周部イ草１２を展開した状態と、曲げ起こし畳床へ巻き込み、
縫着機、タッカー、手縫い、糊付け、等で固着することによって完成した状態を示している。
このとき畳表は縦糸方向が既に安定して固着されているので、四隅の部分も格別の注意を払うことを必要とせず、四隅以外の部分と同様にただ固着するだけでよい。
【産業上の利用可能性】
【００１１】
本案によれば、四隅部分が他の部分と同一の厚さで仕上がっている縁無し畳を供給することが出来る。
四隅の部分も他の部分と同様に安定し、堅牢な構造の縁なし畳を供給できる。
更に、畳の表面だけでなく、裏面も美麗に仕上がっている縁なし畳を供給できる。
本案は高度の熟練を必要とせず作業性が良く、畳製造に直ちに利用可能である。
本考案による縁なし畳は構造上堅牢であり表面、裏面共に見た目が良好であるので顧客の満足を得られ、利用価値の高いものである。
【図面の簡単な説明】
【００１２】
【図１】本案を適用した縁なし畳を裏面から見た完成図
【図２】畳表の縦糸方向外周部を畳床へ固着した図
【図３】曲げ込んだ畳表の四隅部分のイ草の内、重なり合う部分を取り除いた図
【図４】四隅に於けるイ草方向の曲げ込む畳表の縦糸の固着状態を示す図
【図５】四隅に於ける畳床の厚み方向の処理の別例を示す図
【図６】イ草方向の外周部を折り曲げる状態を示す図
【符号の説明】
【００１３】
１  畳床
２  畳表外周縁部
３  畳表縦糸方向の裏面へ曲げ込み部分
４  四隅部分
５  縦糸方向畳表外周部切り込み位置
６  四隅重なる部分であってイ草のみ除去、縦糸を残す部分
７  四隅重なる部分の残された縦糸
８  畳表の側面処理部分切り込み位置
９  畳表の側面処理部分
１０  畳表のイ草方向外周縁部の四隅部分のイ草のみ除去、残された縦糸
１１  畳の四隅部分の厚み方向折り込み他の例
１２  畳表のイ草方向外周縁部
【図１】
0003122505.tif 000003
【図２】
0003122505.tif 000004
【図３】
0003122505.tif 000005
【図４】
0003122505.tif 000006
【図５】
0003122505.tif 000007
【図６】
0003122505.tif 000008